(57)【要約】  多種類ネットワーク内の無線ＬＡＮ（ＷＬＡＮ）再度選択方法であって、利用者端末は現在のサービスネットワークからもう一つの移動通信運営ネットワークへ変更する場合、ネットワーク情報が含まれているネットワーク再度選択要求をネットワークサイドに対して送信するステップと、もし、前記ネットワーク再度選択要求によって指出された前記もう一つのネットワークが前記現在のサービスネットワークと異なっている場合、前記もう一つのネットワークとのアクセスを確立するステップを含む。当該方法は利用者端末に対して、既に一つのネットワークにアクセスされた後、もう一つのネットワークを再度選択してアクセスさせる。【選択図】図１
2007535229.tif 000002
【特許請求の範囲】
【請求項１】
無線ローカルエリアネットワーク（ＷＬＡＮ）利用者端末が運営ネットワークを再度選択する相互接続方法であって、
ＷＬＡＮ利用者端末が現在のサービス移動通信運営ネットワークからもう一つの移動通信運営ネットワークへ変更する場合、ネットワーク情報が含まれているネットワーク再度選択要求をＷＬＡＮアクセスネットワークに対して送信するステップと、
もし、前記ネットワーク再度選択要求によって指出された前記もう一つのネットワークが前記現在のサービス移動通信運営ネットワークと異なっている場合、前記もう一つの移動通信運営ネットワークとのアクセスを確立し、他の場合には、対応する処理を行うステップと、
を含むことを特徴とする方法。
【請求項２】
前記ネットワーク再度選択要求は、アクセス認証の要求であり、又は接続の切断要求であり、
ＷＬＡＮアクセスネットワークがネットワーク再度選択要求を受信した後、当該方法は、
もし、受信された要求の中にターゲットネットワークの選択情報が含まれている場合、前記もう一つの移動通信運営ネットワークとのアクセスを確立し、他の場合には、ＷＬＡＮ利用者端末に対して利用者情報の要求メッセージを送信し、ＷＬＡＮ利用者端末は再度選択したもう一つの移動通信運営ネットワークの情報をＷＬＡＮアクセスネットワークに対して送信するステップ、
を更に含むことを特徴とする請求項１に記載の方法。
【請求項３】
前記ネットワーク再度選択要求は、再度選択した移動通信運営ネットワークの情報が含まれている接続切断要求である、
ことを特徴とする請求項１に記載の方法。
【請求項４】
前記もう一つの移動通信運営ネットワークとのアクセスを確立するとは、まず、ＷＬＡＮ利用者端末とそれが既にアクセスされている移動通信運営ネットワークとの間の接続を切断し、次に、当該ＷＬＡＮ利用者端末が再度選択した移動通信運営ネットワークに対して認証アクセスの手順を開始することである、
ことを特徴とする請求項２または請求項３に記載の方法。
【請求項５】
前記もう一つの移動通信運営ネットワークとのアクセスを確立するとは、ＷＬＡＮ利用者端末とそれが既にアクセスされている移動通信運営ネットワークとの間の接続を保留すると共に、当該ＷＬＡＮ利用者端末が再度選択した移動通信運営ネットワークに対して認証及びアクセスの手順を開始し、当該ＷＬＡＮ利用者端末が認証にパスし、そして再度選択した移動通信運営ネットワークにアクセスされた後に、ＷＬＡＮ利用者端末とそれが前既にアクセスされていた移動通信運営ネットワークとの間の接続を切断することである、
ことを特徴とする請求項２または請求項３に記載の方法。
【請求項６】
前記ＷＬＡＮ利用者端末が再度選択した移動通信運営ネットワークに対して認証手順を開始する前に、当該方法は、
もし、受信されたもう一つの移動通信運営ネットワークの情報に基づいて、当該移動通信運営ネットワークが本ＷＬＡＮに接続されている移動通信運営ネットワークであれば、ＷＬＡＮアクセスネットワークから開始された認証手順を継続して実行し、他の場合には、ＷＬＡＮ利用者端末に対して、ＷＬＡＮが接続されている全ての訪問公衆陸地移動ネットワーク（ＶＰＬＭＮ）情報を含んだネットワーク通知を送信し、ＷＬＡＮ利用者端末の再度選択を待つステップ、
を更に含むことを特徴とする請求項４に記載の方法。
【請求項７】
ネットワーク通知を送信する回数の閾値を予め設定し、ＷＬＡＮ利用者端末に対してネットワーク通知を送信する前に、もし、ネットワーク通知を送信する回数がネットワーク通知を送信する回数の閾値に達したら、ＷＬＡＮ利用者端末に対してアクセス失敗の情報を送信し、他の場合には、ＷＬＡＮ利用者端末に対して、ＷＬＡＮが接続されている全てのＶＰＬＭＮ情報を含んだネットワーク通知を再び送信し、そしてＷＬＡＮ利用者端末の再度選択を待つステップ、
を更に含むことを特徴とする請求項６に記載の方法。
【請求項８】
前記ＷＬＡＮ利用者端末が再度選択した移動通信運営ネットワークに対して認証手順を開始する前に、当該方法は、
もし、受信されたもう一つの移動通信運営ネットワークの情報に基づいて、当該移動通信運営ネットワークが本ＷＬＡＮに接続されている移動通信運営ネットワークであれば、ＷＬＡＮアクセスネットワークから開始された認証手順を継続に実行し、他の場合には、ＷＬＡＮ利用者端末に対して、ＷＬＡＮが接続されている全てのＶＰＬＭＮ情報を含んだネットワーク通知を送信し、ＷＬＡＮ利用者端末の再度選択を待つステップ、
を更に含むことを特徴とする請求項５に記載の方法。
【請求項９】
ネットワーク通知を送信する回数の閾値を予め設定し、ＷＬＡＮ利用者端末に対してネットワーク通知を送信する前に、もし、ネットワーク通知を送信する回数がネットワーク通知を送信する回数の閾値に達したら、ＷＬＡＮ利用者端末に対してアクセス失敗の情報を送信し、他の場合には、ＷＬＡＮ利用者端末に対して、ＷＬＡＮが接続されている全てのＶＰＬＭＮ情報を含んだネットワーク通知を再び送信し、そしてＷＬＡＮ利用者端末の再度選択を待つステップ、
を更に含むことを特徴とする請求項８に記載の方法。
【請求項１０】
前記ＷＬＡＮ利用者端末の現在のサービス移動通信運営ネットワークは、当該利用者端末の一つの訪問ネットワークであり、又はそのホームネットワークである、
ことを特徴とする請求項１に記載の方法。
【請求項１１】
前記対応する処理を行うとは、既存の接続で再度認証の手続きを行うことである、
ことを特徴とする請求項１に記載の方法。
【発明の詳細な説明】
【技術分野】
【０００１】
本発明は、無線ネットワークの再度選択技術に関し、特に無線ローカルエリアネットワーク（ＷＬＡＮ）の利用者端末が運営ネットワークを再度選択する方法に関する。
【背景技術】
【０００２】
利用者の無線アクセスレート要求が益々増えることに対して、ワイヤレス・ローカル・エリア・ネットワーク（ＷＬＡＮ，Ｗｉｒｅｌｅｓｓ  Ｌｏｃａｌ  Ａｒｅａ  Ｎｅｔｗｏｒｋ）技術がそれに応じて現れ、より小さな範囲で高速のワイヤレスデータのアクセスを提供することができる。ワイヤレス・ローカル・エリア・ネットワークには多種類の異なる技術が含まれている。最近、広く応用されている標準技術の一つは、ＩＥＥＥ８０２．１１ｂであり、２．４ＧＨｚ周波数帯域を採用し、最高のデータ伝送レートは１１Ｍｂｐｓに達することができる。また、該当周波数帯域を使用するものとしてＩＥＥＥ８０２．１１ｇとブルートゥース（Ｂｌｕｅｔｏｏｔｈ）技術もあり、その中で、８０２．１１ｇの最高データ伝送レートは５４Ｍｂｐｓに達することができる。その他の新技術、例えばＩＥＥＥ８０２．１１ａとＥＴＳＩ  ＢＲＡＮ  Ｈｉｐｅｒｌａｎ２は全て５ＧＨｚ周波数帯域を採用し、そして最高の伝送レートは、同様に、５４Ｍｂｐｓに達することができる。
【０００３】
多種類の異なる無線アクセス技術があるにもかかわらず、大部分のＷＬＡＮはインターネットプロトコル（ＩＰ）によるパケットデータ送信を行う。一つの無線ＩＰネットワークについて、それが採用した具体的なＷＬＡＮアクセス技術は、一般的にアッパーの上位レベルのＩＰに対して透明である。その基本構造は、アクセスポイント（ＡＰ）によって利用者端末の無線アクセスが完了され、ネットワーク制御と連結設備の接続によってＩＰ伝送ネットワークが構成されるものである。
【０００４】
ＷＬＡＮ技術の出現と発展に伴い、ＷＬＡＮと各無線移動通信ネットワーク、例えば、ＧＳＭ、符号分割多重接続（ＣＤＭＡ）システム、広帯域符号分割多重接続（ＷＣＤＭＡ）システム、時分割−同期符号分割多重接続（ＴＤ−ＣＤＭＡ）システム、ＣＤＭＡ２０００システムなどの相互接続は現在の主な研究のポイントとなっている。第三世代移動通信システム（３ＧＰＰ）の標準化組織において、利用者端末はＷＬＡＮのアクセスネットワークを経由してインターネット（Ｉｎｔｅｒｎｅｔ）、イントラネット（Ｉｎｔｒａｎｅｔ）に接続され、また、ＷＬＡＮアクセスネットワークを経由して３ＧＰＰシステムのホームネットワーク又は３ＧＰＰシステムの訪問ネットワークに接続される。具体的には、図２に示しているように、ＷＬＡＮの利用者端末から現地でアクセスする場合、ＷＬＡＮアクセスネットワークを経由して３ＧＰＰのホームネットワーク、即ち、ホーム公衆陸地移動ネットワーク（ＨＰＬＭＮ）に接続される。または、図１に示しているように、ローミングする際に、ＷＬＡＮアクセスネットワークを経由して３ＧＰＰの訪問ネットワーク、即ち、訪問公衆陸地移動ネットワーク（ＶＰＬＭＮ）に接続され、３ＧＰＰの訪問ネットワークの一部エンティティ（ｅｎｔｉｔｙ）は、それぞれ対応する３ＧＰＰホームネットワーク内のエンティティと相互接続される。例えば、３ＧＰＰ訪問ネットワーク内の３ＧＰＰ認証承認課金（ＡＡＡ）プロキシと３ＧＰＰホームネットワークによる３ＧＰＰ認証承認課金（ＡＡＡ）サーバ、３ＧＰＰ訪問ネットワーク内のＷＬＡＮアクセスゲートウェイ（ＷＡＧ）と３ＧＰＰホームネットワーク内のパケットデータゲートウェイ（ＰＤＧ，Ｐａｃｋｅｔ  Ｄａｔａ  Ｇａｔｅｗａｙ）などである。また、図１と図２はそれぞれローミングする場合とローミングしていない場合のＷＬＡＮシステムと３ＧＰＰシステムの相互接続ネットワークの構造を示す。
【０００５】
図１と図２で示しているように、３ＧＰＰシステムには、ホーム・サブスクライバー・サーバ（ＨＳＳ）／ホーム・位置・レジスタ（ＨＬＲ）、３ＧＰＰ  ＡＡＡサーバ、３ＧＰＰ  ＡＡＡプロキシ、ＷＡＧ、パケットデータゲートウェイ、課金ゲートウェイ（ＣＧｗ）／課金コレクションシステム（ＣＣＦ）及びオンライン課金システム（ＯＣＳ）などが主に含まれている。利用者端末、ＷＬＡＮアクセスネットワークと３ＧＰＰシステムの全てのエンティティは３ＧＰＰ−ＷＬＡＮの相互接続ネットワークを一緒に構成する。この３ＧＰＰ−ＷＬＡＮの相互接続ネットワークはＷＬＡＮのサービスシステムとして使用できる。その中で、３ＧＰＰ  ＡＡＡサーバは、利用者に対しての認証、承認と課金を担当し、ＷＬＡＮアクセスネットワークから送信された課金情報をコレクションして、課金システムに対して伝送するものである。パケットデータゲートウェイは、利用者データがＷＬＡＮアクセスネットワークから３ＧＰＰネットワークやその他のパケットネットワークに対してのデータ伝送を担当するものである。課金システムは、ネットワークによる利用者課金情報を受信して記録し、ＯＣＳがオンライン課金利用者の課金状況に従ってネットワークにオンライン課金情報の定期的な伝送を指示し、統計と制御を実行することをさらに含むものである。
【０００６】
ローミングしていない場合に、ＷＬＡＮの利用者端末がＩｎｔｅｒｎｅｔ／Ｉｎｔｒａｎｅｔに直接的にアクセスしようとするとき、利用者端末はＷＬＡＮアクセスネット−クを経由して、ＡＡＡサーバ（ＡＳ）とのアクセス認証、承認を完了した後、ＷＬＡＮアクセスネット−クを経由してＩｎｔｅｒｎｅｔ／Ｉｎｔｒａｎｅｔに接続されることができる。ＷＬＡＮの利用者端末が３ＧＰＰパケットスイッチ（ＰＳ）ドメインサービスにもアクセスしようとするとき、３ＧＰＰホームネットワークに対してシナリオ３（Ｓｃｅｎａｒｉｏ３）のサービスを更に申し込むことができる。即ち、ＷＬＡＮ利用者端末から３ＧＰＰホームネットワークのＡＳに対してシナリオ３のサービス承認要求を開始し、３ＧＰＰホームネットワークのＡＳがこのサービス承認要求に対してサービスの認証と承認を実行して、成功したら、ＡＳは利用者端末にアクセス許可メッセージ（ＡＣＣＥＳＳ  Ｐｅｒｍｉｓｓｉｏｎ  Ｍｅｓｓａｇｅ）を送信し、相応のＰＤＧも割り当てる。利用者端末から、割り当てられたＰＤＧとの間にトンネルが設置された後、３ＧＰＰ  ＰＳドメインサービスにアクセスすることができる。同時に、ＣＧｗ／ＣＣＦとＯＣＳは利用者端末のネットワーク使用状況に従って課金情報を記録する。ローミングする場合に、ＷＬＡＮの利用者端末からＩｎｔｅｒｎｅｔ／Ｉｎｔｒａｎｅｔに対して直接的にアクセスしようとするとき、利用者端末は３ＧＰＰ訪問ネットワークを経由して３ＧＰＰホームネットワークに対してＩｎｔｅｒｎｅｔ／Ｉｎｔｒａｎｅｔに対してのアクセスを申し込むことができる。利用者端末から、シナリオ（Ｓｃｅｎａｒｉｏ）３のサービスにも申し込み、３ＧＰＰ  ＰＳドメインサービスにアクセスしようとするとき、利用者端末は、３ＧＰＰ訪問ネットワークを経由して３ＧＰＰホームネットワークに対してサービス承認手順を開始しなければならない。この手順も利用者端末と３ＧＰＰホームネットワークＡＳとの間で実行され、承認で成功した後、ＡＳが利用者端末に相応のホームＰＤＧを割り当てる。３ＧＰＰ訪問ネットワークのＷＡＧを経由して、利用者端末と割り当てられたＰＤＧとの間にトンネルが設置された後、利用者端末はホームネットワークの３ＧＰＰ  ＰＳドメインサービスにアクセスすることができる。
【０００７】
３ＧＰＰ−ＷＬＡＮの相互接続ネットワークにおいて、もし一つのＷＬＡＮが同時に複数の３ＧＰＰ訪問ネットワーク、即ち、複数の移動通信運営ネットワークに接続されているとき、ＷＬＡＮ利用者端末が必要によって、適当な移動通信運営ネットワークを選択してアクセスするには二種類の実現方案があり、それぞれ図３、図４に示している。そのなかで、図３は利用者端末がアクセスしようとする移動通信運営ネットワークを直接に選択して成功した処理手順を示すものであり、この手順には以下のステップが含まれている。
【０００８】
ステップ３０１〜３０３で、ＷＬＡＮ利用者端末とＷＬＡＮアクセスネットワークとの無線接続が確立された後、ネットワーク、又はＷＬＡＮ利用者端末はアクセス認証手続きを開始し、ＷＬＡＮアクセスネットワークから当該ＷＬＡＮ利用者端末に対して利用者識別子の要求メッセージを送信し、当該ＷＬＡＮ利用者端末は要求メッセージを受信した後、ＷＬＡＮアクセスネットワークに対してネットワーク選択情報が含まれている利用者識別子の応答メッセージを返信する。ここで、ネットワーク選択情報とは、利用者端末が現在アクセスしようとする、ＷＬＡＮネットワークに接続されている移動通信運営ネットワークの情報を指すものであり、ＷＬＡＮアクセスネットワークと利用者端末との間のアクセス認証手続きは拡張性認証プロトコル（ＥＡＰ）手続きである。一般的に、ネットワーク選択情報はネットワークアクセス識別子（ＮＡＩ）のフォーマットによって定義された利用者識別子フィールド内に乗せられている。
【０００９】
ステップ３０４〜３０６で、ＷＬＡＮアクセスネットワークは利用者端末から送信されたメッセージを受信した後、メッセージ中のネットワーク選択情報が現在ＷＬＡＮに接続されている移動通信運営ネットワークに属しているかどうかと判断する。もし属しているなら、ＷＬＡＮアクセスネットワークはＮＡＩによって、利用者端末に選択された移動通信運営ネットワークの３ＧＰＰ  ＡＡＡプロキシ又は３ＧＰＰ  ＡＡＡサーバを確定し、次いで、確定された３ＧＰＰ  ＡＡＡプロキシ又は３ＧＰＰ  ＡＡＡサーバに対して利用者識別子とアクセス認証承認要求を送信して、３ＧＰＰ  ＡＡＡプロキシ又は３ＧＰＰ  ＡＡＡサーバに、現在アクセスした利用者端末に対しての認証を行わせ、もし認証にパスしたら、次のアクセスを完了する。
【００１０】
図４は利用者端末がアクセスしようとする移動通信運営ネットワークの初回選択に失敗して、送信されたネットワーク選択情報に基づいて、再度選択する処理手順を示すものであり、この手順には以下のステップが含まれている。
【００１１】
ステップ４０１〜４０３は、ステップ３０１〜３０３と完全に同じである。
【００１２】
ステップ４０４〜４０５で、ＷＬＡＮアクセスネットワークは利用者端末から送信されたメッセージを受信した後、メッセージ中のネットワーク選択情報が現在ＷＬＡＮに接続されている移動通信運営ネットワークに属していないことを発見したら、当該利用者端末に対して、自身が接続している全ての移動通信運営ネットワーク情報を含んだネットワーク通知シグナルを送信する。
【００１３】
ステップ４０６〜４０７で、利用者端末は受信した後、通知シグナル中の移動通信運営ネットワーク情報に基づいて、アクセスしようとする移動通信運営ネットワークを再度選択し、次いで、ＷＬＡＮアクセスネットワークに対して、新しいネットワーク選択情報が含まれている利用者識別子の応答メッセージを送信する。
【００１４】
ステップ４０８〜４０９は、ステップ３０５〜３０６と完全に同じである。
【発明の開示】
【発明が解決しようとする課題】
【００１５】
前記方案から見れば、３ＧＰＰ−ＷＬＡＮの相互接続ネットワークには、利用者端末がネットワークを選択してアクセスする比較的に完備な手順が存在している。しかし、あるＷＬＡＮアクセスネットワークが同時に複数のＶＰＬＭＮネットワークに接続され、且つある利用者端末が既に当該ＷＬＡＮアクセスネットワークを経由して、その中の一つのＶＰＬＭＮネットワークにアクセスした後で、当該利用者端末が種々の原因で、例えば、料金の原因、訪問のサービス範囲の原因等で、現在接続されているＶＰＬＭＮネットワークと切断し、当該ＷＬＡＮアクセスネットワークに接続されている別のＶＰＬＭＮネットワークを再度選択する必要がある場合、目下具体的な解決案が提出されていない。
【００１６】
上記に鑑み、本発明は利用者端末に対して、既に一つのネットワークにアクセスされた後、もう一つのネットワークを再度選択してアクセスを行わせる、無線ＬＡＮの利用者端末が運営ネットワークを再度選択する方法を提供することを主たる目的とする。
【課題を解決するための手段】
【００１７】
上記の目的に達するために、本発明の技術方案は下記のように実現される。
【００１８】
無線ＬＡＮ（ＷＬＡＮ）利用者端末が運営ネットワークを再度選択する方法であって、当該方法は、ＷＬＡＮ現在のサービス移動通信運営ネットワークからもう一つの移動通信運営ネットワークへ変更する場合、ネットワーク情報が含まれているネットワーク再度選択要求をＷＬＡＮアクセスネットワークに対して送信するステップと、もし、前記ネットワーク再度選択要求によって指出された前記もう一つのネットワークが前記現在のサービス移動通信運営ネットワークと異なっている場合、前記もう一つの移動通信運営ネットワークとのアクセスを確立し、他の場合には、対応する処理を行うステップと、を含む。
【００１９】
上記方案で、前記ネットワーク再度選択要求はアクセス認証の要求であり、又は接続の切断要求であり、ＷＬＡＮアクセスネットワークがネットワーク再度選択要求を受信した後、当該方法は、もし、受信された要求の中にターゲットネットワークの選択情報が含まれている場合、前記もう一つの移動通信運営ネットワークとのアクセスを確立し、他の場合には、ＷＬＡＮ利用者端末に対して利用者情報の要求メッセージを送信し、ＷＬＡＮ  利用者端末は再度選択したもう一つの移動通信運営ネットワークの情報をＷＬＡＮアクセスネットワークに対して送信するステップ、を更に含む。
【００２０】
前記ネットワーク再選択要求は、再度選択した移動通信運営ネットワークの情報が含まれている接続切断要求であることもできる。
【００２１】
そのうち、前記もう一つの移動通信運営ネットワークとのアクセスを確立するとは、まず、ＷＬＡＮ利用者端末とそれが既にアクセスされている移動通信運営ネットワークとの間の接続を切断し、次に、当該ＷＬＡＮ利用者端末が再度選択した移動通信運営ネットワークに対して認証アクセスの手順を開始することである。又は、ＷＬＡＮ利用者端末とそれが既にアクセスされている移動通信運営ネットワークとの間の接続を保留すると共に、当該ＷＬＡＮ利用者端末が再度選択した移動通信運営ネットワークに対して認証及びアクセスの手順を開始し、当該ＷＬＡＮ利用者端末が認証にパスし、そして再度選択した移動通信運営ネットワークに対してアクセスされた後に、ＷＬＡＮ利用者端末とそれが前既にアクセスされていた移動通信運営ネットワークとの間の接続を切断することである。
【００２２】
前記ＷＬＡＮ利用者端末が再度選択した移動通信運営ネットワークに対して認証手順を開始する前に、当該方法は、もし、受信されたもう一つの移動通信運営ネットワークの情報に基づいて、当該移動通信運営ネットワークは本ＷＬＡＮが接続されている移動通信運営ネットワークであれば、ＷＬＡＮアクセスネットワークから開始された認証手順を継続に実行し、他の場合には、ＷＬＡＮ利用者端末に対して、ＷＬＡＮが接続されている全てのＶＰＬＭＮ情報を含んだネットワーク通知を送信し、ＷＬＡＮ利用者端末の再度選択を待つステップ、を更に含む。
【００２３】
当該方法は、ネットワーク通知を送信する回数の閾値を予め設定し、ＷＬＡＮ利用者端末に対してネットワーク通知を送信する前に、もし、ネットワーク通知を送信する回数がネットワーク通知を送信する回数の閾値に達したら、ＷＬＡＮ利用者端末に対してアクセス失敗の情報を送信し、他の場合には、ＷＬＡＮ利用者端末に対して、ＷＬＡＮが接続されている全てのＶＰＬＭＮ情報を含んだネットワーク通知を再び送信し、そしてＷＬＡＮ利用者端末の再度選択を待つステップ、を更に含むことができる。
【００２４】
上記方案で、前記ＷＬＡＮ利用者端末の現在のサービス移動通信運営ネットワークは、当該利用者端末の一つの訪問ネットワークであり、又はそのホームネットワークである。
【発明の効果】
【００２５】
本発明に提供された利用者端末がネットワークを再度選択する方法は、本発明のネットワークサイドが前の一つのネットワークとの接続を切断しないまま、直接に新しいネットワークと認証・アクセスの手続きを行うことができることで、利用者端末と外部サービスの接続を切断する時間を短縮し、ひいては除去することができる。そして、円滑な再度選択手続きを実現し、顧客の満足度を向上させ、課金の精確性も高くなり、オペレーターの利益を保護することができる。また、本発明が利用者端末とネットワークサイドについて、比較的に小さな機能要求だけを追加し、既存の処理手順に対しての影響が非常に小さいことで、既存のＰＬＭＮ選択の過程と協力して、利用者端末がアクセスするネットワークに対しての再度選択機能を共同に完了し、実用性にとても優れている。その上、本発明は種々の実現形式があり、柔軟に実現できる。
【発明を実施するための最良の形態】
【００２６】
本発明の基本的な指導思想として、ネットワークの再度選択必要があるＷＬＡＮ利用者端末からＷＬＡＮアクセスネットワークに対してネットワークの再度選択要求を開始し、ＷＬＡＮアクセスネットワークは要求を受信した後、受信された要求中のネットワーク選択情報と現在当該利用者端末がアクセスされているネットワーク情報に対して比較を行い、もし異なっている場合、当該ＷＬＡＮ利用者端末と新しい移動通信運営ネットワークとのアクセスを完了し、そしてＷＬＡＮ利用者端末と元の移動通信運営ネットワークとの接続を切断することである。
【００２７】
本発明において、ＷＬＡＮ利用者端末がネットワークの再度選択を行う前提は、当該ＷＬＡＮ利用者端末が現在既に一つの移動通信運営ネットワークにアクセスされていることである。ここで前記現在既にアクセスされているネットワークとはＶＰＬＭＮでもよいし、当該利用者端末のＨＰＬＭＮでもよい。
【００２８】
ＷＬＡＮ利用者端末が移動通信運営ネットワークを再度選択する原因は多種であり、例えば、現在アクセスされている移動通信運営ネットワークの課金がもう一つのネットワークよりも高ければ、ＷＬＡＮ利用者端末は現在アクセスされている移動通信運営ネットワークからもう一つのネットワークへ切り替えたくなること等である。ここで、前記切り替えとは、利用者端末がＨＰＬＭＮからＶＰＬＭＮへの切り替えでもよいし、或いはＶＰＬＭＮ１からＶＰＬＭＮ２への切り替え、又はＶＰＬＭＮからＨＰＬＭＮへの切り替えでもよい。
【００２９】
本発明のＷＬＡＮ利用者端末が移動通信運営ネットワークを再度選択する手続きは、図５に示しているように、以下のステップを含む。
【００３０】
ステップ５０１で、ネットワークの再度選択必要のあるＷＬＡＮ利用者端末が、再度選択してアクセスする必要のある移動通信運営ネットワークを確定し、その後、当該ＷＬＡＮ利用者端末からＷＬＡＮアクセスネットワークに対してネットワークの再度選択要求を送信して、利用者端末が新しい移動通信運営ネットワークにアクセスする必要があることを表示する。例えば、ＶＰＬＭＮ１から変じてＶＰＬＭＮ２を選択した場合、新しいＶＰＬＭＮ２を経由してＨＰＬＭＮにアクセスしたい利用者の希望を表明し、もし新しいネットワークの選択はＨＰＬＭＮである場合、直接にＨＰＬＭＮにアクセスしたい利用者の希望を表明する。
【００３１】
そのなかで、ＷＬＡＮ利用者端末が現在アクセスされている３ＧＰＰ移動通信運営ネットワークは当該ＷＬＡＮ利用者端末の一つの訪問ネットワークでもよいし、ホームネットワークでもよい。前記ネットワークの再度選択要求は通常のアクセス認証要求でもよいし、接続の切断要求でもよい。当該接続の切断要求には、ＷＬＡＮ利用者端末の新しく選択した移動通信運営ネットワークの情報が更に乗せられる。
【００３２】
ステップ５０２〜５０３で、ＷＬＡＮアクセスネットワークはネットワークの再度選択要求を受信した後、要求の中に、所要のネットワーク選択情報が含まれているかどうかを判断し、含まれていれば、ステップ５０４を継続に進み、他の場合には、ＷＬＡＮアクセスネットワークからＷＬＡＮ利用者端末に対して利用者情報の要求、例えば、利用者識別子の要求メッセージを送信する。ＷＬＡＮ利用者端末は要求メッセージを受信した後、ＷＬＡＮアクセスネットワークに対して再度選択した移動通信運営ネットワーク情報が含まれている利用者識別子の応答メッセージを送信する。同様に、当該移動通信運営ネットワーク情報はＮＡＩのフォーマットによって定義された利用者識別子フィールド内に乗せられている。本ステップの中で、他の場合の処理は実際に、一つのＷＬＡＮアクセスネットワークとＷＬＡＮ利用者端末との間に、アクセス認証の手続き、即ち、拡張性認証プロトコル（ＥＡＰ）の手続きが開始されることである。
【００３３】
ステップ５０４〜５０７で、ＷＬＡＮアクセスネットワークは現在受信された利用者識別子メッセージ内の移動通信運営ネットワーク情報を、接続が確立された移動通信運営ネットワーク情報に対して比較を行い、二つの移動通信運営ネットワークが同じであれば、ＷＬＡＮアクセスネットワークは、当該ＷＬＡＮ利用者端末が現在接続されている移動通信運営ネットワークに対しての一回の正常な認証要求だと判定し、そうすれば、対応する再度認証手続きを完了し、そして、現在のネットワーク再度選択手順を終了する。同じでいない場合には、当該ＷＬＡＮ利用者端末と新しい移動通信運営ネットワークとのアクセスを完了し、そしてＷＬＡＮ利用者端末と元の移動通信運営ネットワークとの接続を切断する。
【００３４】
ＷＬＡＮ利用者端末に新しく選択された移動通信運営ネットワークに対して接続する前に、ＷＬＡＮアクセスネットワークはまた当該移動通信運営ネットワークの有効性に対して判断する必要がある。即ち、ＷＬＡＮ利用者端末に新しく選択された移動通信運営ネットワークは、本ＷＬＡＮに接続されている３ＧＰＰネットワークであるかどうかを判断する。当該判断は二つの移動通信運営ネットワークの情報を比較すると同時に完了してもよいし、元の移動通信運営ネットワークを切断した後、新しく選択された移動通信運営ネットワークに対して接続する前に判断してもよい。ここで、もし元の移動通信運営ネットワークが新しい移動通信運営ネットワークと異なっているが、新しい移動通信運営ネットワークと本ＷＬＡＮが接続されていない場合には、ＷＬＡＮアクセスネットワークから当該利用者端末に対して再度選択の失敗通知及び失敗原因を返信し、そして当該ＷＬＡＮ利用者端末に対してネットワーク通知のシグナルを送信して、接続可能な移動通信運営ネットワーク情報をＷＬＡＮ利用者端末に対して通知し、ＷＬＡＮ利用者端末に、図４に示したステップ４０６〜４０９の処理手順に従って、適当な移動通信運営ネットワークを再度選択してアクセスさせる。
【００３５】
元の移動通信運営ネットワークと新しい移動通信運営ネットワークの切断と接続において、二種類の場合に分ける。一つはＷＬＡＮアクセスネットワークが、まず、ＷＬＡＮ利用者端末に対応する元の移動通信運営ネットワークとの間の接続を切断し、次いで当該ＷＬＡＮ利用者端末が新しく選択した移動通信運営ネットワークに対して、認証及びアクセスの手順を開始することである。もう一つはＷＬＡＮ利用者端末が新しい移動通信運営ネットワークに対してアクセスする前に、ＷＬＡＮ利用者端末と元の移動通信運営ネットワークの接続を切断しない。即ち、ＷＬＡＮアクセスネットワークは、ＷＬＡＮ利用者端末に対応する元の移動通信運営ネットワークとの間の接続を保留すると同時に、当該ＷＬＡＮ利用者端末が新しく選択した移動通信運営ネットワークに対して認証及びアクセスの手順を開始し、当該ＷＬＡＮ利用者端末が認証にパスし、且つ新しく選択した移動通信運営ネットワークに対してアクセスされた後、ＷＬＡＮ利用者端末に対応する元の移動通信運営ネットワークとの間の接続を切断することである。
【００３６】
第一の場合において、ＷＬＡＮアクセスネットワークが切断操作を完了した後、前記ＷＬＡＮ利用者端末のネットワークの再度選択要求を、それが選択した新しい移動通信運営ネットワークに対応する３ＧＰＰ  ＡＡＡプロキシ・３ＧＰＰ  ＡＡＡサーバに対して送信し、当該ＷＬＡＮ利用者端末に対しての認証を実行する。認証に成功した後、ＷＬＡＮアクセスネットワークはＷＬＡＮ利用者端末に対して、新しい移動通信運営ネットワークとの間の正常な接続を確立させ、そして新しい移動通信運営ネットワークとの間に対応する課金関係を確立させ、ＷＬＡＮ利用者が移動通信運営ネットワークを再度選択することを完了させる。
【００３７】
第二の場合において、ＷＬＡＮアクセスネットワークは、受信された前記ＷＬＡＮ利用者端末のネットワーク再度選択要求を、直接に、それが選択した新しい移動通信運営ネットワークに対応する３ＧＰＰ  ＡＡＡプロキシ・３ＧＰＰ  ＡＡＡサーバに対して送信し、当該ＷＬＡＮ利用者端末に対しての認証手続きを実行する。認証手続きは当該ＷＬＡＮ利用者端末のホームネットワークに関連する。当該ＷＬＡＮ利用者端末と元の移動通信運営ネットワークの接続が切断していない、当該ＷＬＡＮ利用者端末のホームネットワークには前の接続の情報があっていても、ホームネットワークは、当該ＷＬＡＮ利用者端末と元の移動通信運営ネットワークの接続に対しての認証で、正常に処理する。認証に成功した後、ＷＬＡＮアクセスネットワークは課金情報を統計し、元の移動通信運営ネットワークに対して送信し、ＷＬＡＮ利用者端末と元の移動通信運営ネットワークのネットワーク接続を切断する。同時に、ＷＬＡＮアクセスネットワークは、ＷＬＡＮ利用者端末に対して、新しい移動通信運営ネットワークとの間の正常な接続を確立させ、そして、新しい移動通信運営ネットワークとの間に応じる課金関係を確立させ、従う課金情報は全て新しい移動通信運営ネットワークに対して送信させ、ＷＬＡＮ利用者が移動通信運営ネットワークを再度選択することを完了させる。もし認証に失敗したら、ネットワークの配置に従って、二種類の処理手順がある。１）ＷＬＡＮ利用者端末と元の移動通信運営ネットワークの接続を切断することで、当該処理は通信過程中のある一回の再度認証失敗に対応する、２）新しい移動通信運営ネットワークの選択トライ（ｔｒｉｅｓ）が失敗したことを利用者に提示し、元の移動通信運営ネットワークとの接続は切断しないが、ここでネットワークは、元の移動通信運営ネットワークの識別子に基づいて、再度認証を行うことを要求する。
【００３８】
上記方案において、前記移動通信運営ネットワークとＷＬＡＮ利用者端末との間の接続切断は、サービス接続の切断、課金情報の決算等を含む。具体的な処理手続きは、既存のＷＬＡＮ利用者端末が接続されている移動通信運営ネットワークと正常に接続を切断する手続きと完全に同じである。
【００３９】
図６に示したのは、あるＷＬＡＮアクセスネットワークが同時に、三つのＶＰＬＭＮに接続されている場合である。ＷＬＡＮ利用者端末は目前当該ＷＬＡＮアクセスネットワークを経由してＶＰＬＭＮ１にアクセスされている、現在ＷＬＡＮ利用者端末はＶＰＬＭＮ１からＶＰＬＭＮ２へ切り替えたいと仮定する。そのうち、ＶＰＬＭＮ１は元の３ＧＰＰ  ＡＡＡプロキシに対応し、ＶＰＬＭＮ２は新しい３ＧＰＰ  ＡＡＡプロキシに対応する。以下にそれぞれその実施の形態を示す図面と九つの実施例に基づいて、ＷＬＡＮ利用者端末がアクセスしようとする移動通信運営ネットワークを再度選択する手続きを詳しく説明する。
【実施例１】
【００４０】
本実施例において、ＷＬＡＮ利用者端末からＷＬＡＮアクセスネットワークに対して送信するのはアクセス認証要求である。そしてＷＬＡＮアクセスネットワークはＶＰＬＭＮ１とＶＰＬＭＮ２の情報が同じであるかどうかを比較すると共に、ＶＰＬＭＮ２の有効性を判断する。且つＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。そして、本実施例において、ＷＬＡＮ利用者端末が移動通信運営ネットワークを再度選択する手続きは、図７に示しているように、以下のステップを含む。
【００４１】
ステップ７０１〜７０２で、ＷＬＡＮ利用者端末は再度接続必要のある移動通信運営ネットワークＶＰＬＭＮ２を確定し、そしてＶＰＬＭＮ２のドメイン名又は識別子を確認する。ＷＬＡＮ利用者端末はＶＰＬＭＮ１との既存の接続に影響を与えない場合、ＷＬＡＮアクセスネットワークに対してアクセス認証要求を送信する。即ち、ＷＬＡＮ利用者端末からＷＬＡＮアクセスネットワークに対して認証スタートのメッセージＥＡＰｏＬ−Ｓｔａｒｔを送信する。
【００４２】
ステップ７０３〜７０４で、ＷＬＡＮアクセスネットワークがアクセス認証要求を受信した後、ＷＬＡＮアクセスネットワークと利用者端末との間にアクセス認証の手続き、即ち、拡張性認証プロトコル（ＥＡＰ）手続きが開始される。具体的には、ＷＬＡＮアクセスネットワークは、現在の利用者端末の利用者名を要求する利用者識別子の要求メッセージＥＡＰｏＬ−Ｒｅｑｕｅｓｔ［Ｉｄｅｎｔｉｔｙ］を利用者端末に対して送信する。利用者端末は当該要求メッセージを受信した後、ＷＬＡＮアクセスネットワークに対してＮＡＩのフォーマットによって定義された利用者識別子フィールドが乗せられた利用者識別子の応答メッセージＥＡＰｏＬ−Ｒｅｓｐｏｎｓｅ［Ｉｄｅｎｔｉｔｙ］を送信する。当該利用者識別子フィールドにはネットワークの選択情報が乗せられている。当該メッセージには識別子情報、即ちネットワークに対して再度選択を行うことを識別する情報が乗せられる。
【００４３】
ステップ７０５〜７０６で、ＷＬＡＮアクセスネットワークが比較によって、利用者識別子の応答メッセージの中のＶＰＬＭＮ２情報が現在接続されているＶＰＬＭＮ１情報と異なっていることを発見し、そしてＶＰＬＭＮ２が本ＷＬＡＮに接続されていることを発見する場合、ＷＬＡＮアクセスネットワークからＶＰＬＭＮ１に対して接続の切断手続きを開始し、課金情報をＶＰＬＭＮ１に対して送信し、当該利用者端末がＶＰＬＭＮ１に対してのサービス接続を切断する。
【００４４】
もしＷＬＡＮとＶＰＬＭＮ２との間に直接に接続されていないことを発見したら、初回のネットワーク選択処理と同じに、利用者端末に対してネットワーク通知を送信する必要があり、現在ＷＬＡＮ接続の全てのＶＰＬＭＮ情報を利用者端末に対して通知し、利用者の再度選択を待つ。しかし、もしこの前既に利用者に対してネットワーク通知を一回又は数回送信したことを発見したら、ネットワークの配置に従って、送信しないことを選択し、直接に拒否することができる。そのうち、ネットワーク通知を送信する回数の閾値は予め設定できる。
【００４５】
ステップ７０７〜７０８で、ＷＬＡＮ利用者端末とＶＰＬＭＮ１の接続を切断した後、ＷＬＡＮネットワークは前記ＷＬＡＮ利用者端末のアクセス認証要求をＶＰＬＭＮ２に対して送信し、そして当該利用者端末のＨＰＬＭＮにルートし、当該ＷＬＡＮ利用者端末に対しての認証を実行する。認証に成功したことを確認した後、ＷＬＡＮアクセスネットワークはＷＬＡＮ利用者端末に対して、正常なサービス接続を確立させ、そしてＶＰＬＭＮ２と応じるシグナルおよび課金関係を確立させ、ＷＬＡＮ利用者が移動通信運営ネットワークを再度選択する作業を完了させる。
【実施例２】
【００４６】
本実施例において、ＷＬＡＮ利用者端末からＷＬＡＮアクセスネットワークに対して送信するのはアクセス認証要求であり、そしてＷＬＡＮアクセスネットワークはＶＰＬＭＮ１とＶＰＬＭＮ２の情報が同じであるかどうかを比較すると共に、ＶＰＬＭＮ２の有効性を判断する。且つＷＬＡＮアクセスネットワークはＷＬＡＮ利用者端末とＶＰＬＭＮ１の接続を保留すると共に、当該ＷＬＡＮ利用者端末とＶＰＬＭＮ２の接続を確立し、接続の確立に成功した後で、ＷＬＡＮ利用者端末とＶＰＬＭＮ１の接続を切断する。そして、本実施例において、ＷＬＡＮ利用者端末が移動通信運営ネットワークを再度選択する手続きは、図８に示しているように、以下のステップを含む。
【００４７】
ステップ８０１〜８０４は、実施例１の中のステップ７０１〜７０４と完全に同じである。
【００４８】
ステップ８０５で、ＷＬＡＮアクセスネットワークが比較によって、利用者識別子メッセージの中のＶＰＬＭＮ２情報が現在接続されているＶＰＬＭＮ１の情報と異なっていることを発見し、そして、ＶＰＬＭＮ２が本ＷＬＡＮに接続されていることを発見する場合、ステップ８０６に進む。
【００４９】
もしＷＬＡＮとＶＰＬＭＮ２との間に直接に接続されていないことを発見したら、初回のネットワーク選択処理と同じに、利用者端末に対してネットワーク通知を送信する必要があり、現在ＷＬＡＮ接続の全てのＶＰＬＭＮ情報を利用者端末に対して通知し、利用者の再度選択を待つ。しかし、もしこの前既に利用者に対してネットワーク通知を一回又は数回送信したことを発見したら、ネットワークの配置に従って、送信しないことを選択し、直接に拒否することができる。そのうち、ネットワーク通知を送信する回数の閾値は予め設定できる。
【００５０】
ステップ８０６で、ＷＬＡＮアクセスネットワークは前記ＷＬＡＮ利用者端末のアクセス認証要求をＶＰＬＭＮ２に対して送信し、そして当該利用者端末のＨＰＬＭＮにルートし、当該ＷＬＡＮ利用者端末に対しての認証手続きを実行する。当該利用者端末がＶＰＬＭＮ１から切断しなかったことで、ＨＰＬＭＮには既に利用者端末の情報がある。それでも、ＶＰＬＭＮ２からの認証情報を受信すると、ＨＰＬＭＮは依然として正常な認証手順を行う。
【００５１】
ステップ８０７で、ＷＬＡＮアクセスネットワークが認証成功を確認した後、ＷＬＡＮアクセスネットワークからＶＰＬＭＮ１に対して接続切断の手続きを開始し、課金情報をＶＰＬＭＮ１に対して送信する。同時に、ＶＰＬＭＮ２と対応するシグナル及び課金関係を確立し、ＷＬＡＮ利用者の移動通信運営ネットワークを再度選択することを完了する。
【００５２】
本実施例において、ＶＰＬＭＮ２とＷＬＡＮ利用者端末の接続を確立する過程中に、当該利用者端末がＶＰＬＭＮ１でのサービス接続は切断していない。
【実施例３】
【００５３】
本実施例において、ＷＬＡＮ利用者端末からＷＬＡＮアクセスネットワークに対して送信するのはアクセス認証要求である。そしてＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。且つＷＬＡＮアクセスネットワークはＷＬＡＮ利用者端末とＶＰＬＭＮ１の接続を切断した後、ＶＰＬＭＮ２の有効性を判断する。そして、本実施例において、ＷＬＡＮ利用者端末が移動通信運営ネットワークを再度選択する手続きは、図９に示しているように、以下のステップを含む。
【００５４】
ステップ９０１〜９０４は、実施例１の中のステップ７０１〜７０４と完全に同じである。
【００５５】
ステップ９０５〜９０６で、ＷＬＡＮアクセスネットワークは比較によって、利用者識別子メッセージの中のＶＰＬＭＮ２情報が現在接続されているＶＰＬＭＮ１の情報と異なっていることを発見し、そして、利用者識別子の応答メッセージの中にネットワーク再度選択を行うことを表す情報が含まれているなら、ＷＬＡＮアクセスネットワークはＶＰＬＭＮ１と接続切断の手続きを開始し、課金情報をＶＰＬＭＮ１に対して送信し、当該利用者端末のサービス接続を切断する。
【００５６】
ステップ９０７〜９０９で、ＷＬＡＮ利用者端末とＶＰＬＭＮ１の接続を切断した後、ＷＬＡＮアクセスネットワークは、ＶＰＬＭＮ２が現在ＷＬＡＮの接続されている移動通信運営ネットワークに属するかどうかを判断し、ＶＰＬＭＮ２が本ＷＬＡＮの接続されている移動通信運営ネットワークであることを発見したら、前記ＷＬＡＮ利用者端末のアクセス認証要求をＶＰＬＭＮ２に対して送信し、そして、当該利用者端末のＨＰＬＭＮにルートし、当該ＷＬＡＮ利用者端末に対しての認証手順を実行する。認証成功を確認した後、ＷＬＡＮネットワークはＷＬＡＮ利用者端末に対して、正常なサービス接続を確立させ、そしてＶＰＬＭＮ２と応じるシグナル及び課金関係を確立させ、ＷＬＡＮ利用者が運営ネットワークを再度選択する作業を完了させる。
【００５７】
もしＷＬＡＮとＶＰＬＭＮ２との間に直接に接続されていないことを発見したら、初回のネットワーク選択処理と同じに、利用者端末に対してネットワーク通知を送信する必要があり、現在ＷＬＡＮ接続の全てのＶＰＬＭＮ情報を利用者端末に対して通知し、利用者の再度選択を待つ。しかし、もしこの前既に利用者に対してネットワーク通知を一回又は数回送信したことを発見したら、ネットワークの配置に従って、送信しないことを選択し、直接に拒否することができる。そのうち、ネットワーク通知を送信する回数の閾値は予め設定できる。
【実施例４】
【００５８】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれていなく、認証手続きを開始して、新しいネットワーク選択情報を獲得する必要がある。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。そして、本実施例において、全ての処理ステップは実施例１と基本的に同じであり、ＷＬＡＮ利用者端末からＷＬＡＮアクセスネットワークに対して送信する要求だけが異なっている。
【実施例５】
【００５９】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれていなく、認証手続きを開始して、新しいネットワーク選択情報を獲得する必要がある。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはＷＬＡＮ利用者端末とＶＰＬＭＮ１の接続を保留すると共に、当該ＷＬＡＮ利用者端末とＶＰＬＭＮ２の接続を確立し、接続の確立に成功した後で、ＷＬＡＮ利用者端末とＶＰＬＭＮ１の接続を切断する。そして、本実施例において、全ての処理ステップは実施例２と基本的に同じであり、ＷＬＡＮ利用者端末からＷＬＡＮアクセスネットワークに対して送信する要求だけが異なっている。
【実施例６】
【００６０】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれていなく、認証手続きを開始して、新しいネットワーク選択情報を獲得する必要がある。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。且つＷＬＡＮアクセスネットワークはＷＬＡＮ利用者端末とＶＰＬＭＮ１の接続を切断した後、ＶＰＬＭＮ２の有効性を判断する。そして、本実施例において、全ての処理ステップは実施例３と基本的に同じであり、ＷＬＡＮ利用者端末からＷＬＡＮアクセスネットワークに対して送信する要求だけが異なっている。
【実施例７】
【００６１】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれている。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。そして、本実施例の処理ステップは実施例１と比べて、ＷＬＡＮ利用者端末からＷＬＡＮアクセスネットワークに対して送信する要求が異なっていることだけでなく、同時にステップ７０３、７０４を省略し、ＷＬＡＮアクセスネットワークがＶＰＬＭＮ２の情報を直接に獲得したことで、ＷＬＡＮ利用者端末に対して要求する必要が無くなった。
【実施例８】
【００６２】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれている。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはＷＬＡＮ利用者端末とＶＰＬＭＮ１の接続を保留すると共に、当該ＷＬＡＮ利用者端末とＶＰＬＭＮ２の接続を確立し、接続の確立に成功した後で、ＷＬＡＮ利用者端末とＶＰＬＭＮ１の接続を切断する。そして、本実施例の処理ステップは実施例２と比べて、ＷＬＡＮ利用者端末からＷＬＡＮアクセスネットワークに対して送信する要求が異なっていることだけでなく、同時にステップ８０３、８０４を省略し、ＷＬＡＮアクセスネットワークがＶＰＬＭＮ２の情報を直接に獲得したことで、ＷＬＡＮ利用者端末に対して要求する必要が無くなった。
【実施例９】
【００６３】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれている。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。ＷＬＡＮアクセスネットワークはＷＬＡＮ利用者端末とＶＰＬＭＮ１の接続を切断した後、ＶＰＬＭＮ２の有効性を判断する。そして、本実施例の処理ステップは実施例３と比べで、ＷＬＡＮ利用者端末からＷＬＡＮアクセスネットワークに対して送信する要求が異なっていることだけでなく、同時にステップ９０３、９０４を省略し、ＷＬＡＮアクセスネットワークがＶＰＬＭＮ２の情報を直接に獲得したことで、ＷＬＡＮ利用者端末に対して要求する必要が無くなった。
【００６４】
以上に述べられたのは、本発明の好ましい実施例のみであり、本発明の保護範囲を制限するためのものではない。
【図面の簡単な説明】
【００６５】
【図１】図１は、ローミングする場合のＷＬＡＮシステムと３ＧＰＰシステムの相互接続ネットワーク構造を示す図である。
【図２】図２は、ローミングしてない場合のＷＬＡＮシステムと３ＧＰＰシステムの相互接続ネットワーク構造を示す図である。
【図３】図３は、利用者端末が移動通信運営ネットワークを選択してアクセスする一実施例の処理流れ図である。
【図４】図４は、利用者端末が移動通信運営ネットワークを選択してアクセスするもう一つの実施例の処理流れ図である。
【図５】図５は、本発明方法の処理手順を示す図である。
【図６】図６は、ＷＬＡＮが複数の訪問ネットワークと接続されているネットワークの構造を示す図である。
【図７】図７は、本発明におけるネットワークを再度選択する相互接続処理の実施例１の流れ図である。
【図８】図８は、本発明におけるネットワークを再度選択する相互接続処理の実施例２の流れ図である。
【図９】図９は、本発明におけるネットワークを再度選択する相互接続処理の実施例３の流れ図である。
【図１】
2007535229.tif 000003
【図２】
2007535229.tif 000004
【図３】
2007535229.tif 000005
【図４】
2007535229.tif 000006
【図５】
2007535229.tif 000007
【図６】
2007535229.tif 000008
【図７】
2007535229.tif 000009
【図８】
2007535229.tif 000010
【図９】
2007535229.tif 000011
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
多種類ネットワーク内の無線ローカルエリアネットワーク（ＷＬＡＮ）再度選択方法であって、
利用者端末は現在のサービスネットワークからもう一つのネットワークへ変更する場合、ネットワーク情報が含まれているネットワーク再度選択要求をネットワークサイドに対して送信するステップと、
もし、前記ネットワーク再度選択要求によって指出された前記もう一つのネットワークが前記現在のサービスネットワークと異なっている場合、前記もう一つのネットワークとのアクセスを確立するステップと、
を含むことを特徴とする方法。
【請求項２】
前記ネットワーク再度選択要求は、アクセス認証の要求であり、又は接続の切断要求であり、
ネットワークサイドがネットワーク再度選択要求を受信した後、当該方法は、
もし、受信された要求の中にターゲットネットワークの選択情報が含まれている場合、前記もう一つのネットワークとのアクセスを確立し、他の場合には、利用者端末に対して利用者情報の要求メッセージを送信し、利用者端末は再度選択したもう一つのネットワークの情報をネットワークサイドに対して送信するステップ、
を更に含むことを特徴とする請求項１に記載の方法。
【請求項３】
前記ネットワーク再度選択要求は、再度選択したネットワークの情報が含まれている接続切断要求である、
ことを特徴とする請求項１に記載の方法。
【請求項４】
前記もう一つのネットワークとのアクセスを確立するとは、まず、利用者端末とそれが既にアクセスされているネットワークとの間の接続を切断し、次に、当該利用者端末が再度選択したネットワークに対して認証アクセスの手順を開始することである、
ことを特徴とする請求項３に記載の方法。
【請求項５】
前記もう一つのネットワークとのアクセスを確立するとは、利用者端末とそれが既にアクセスされているネットワークとの間の接続を保留すると共に、当該利用者端末が再度選択したネットワークに対して認証及びアクセスの手順を開始し、当該利用者端末が認証にパスし、そして再度選択したネットワークにアクセスされた後に、利用者端末とそれが前既にアクセスされていたネットワークとの間の接続を切断することである、
ことを特徴とする請求項３に記載の方法。
【請求項６】
前記利用者端末が再度選択したネットワークに対して認証手順を開始する前に、当該方法は、
もし、受信されたもう一つのネットワークの情報に基づいて、当該ネットワークは本ネットワークサイドが接続されているネットワークであれば、ネットワークサイドから開始された認証手順を継続して実行し、他の場合には、利用者端末に対して、ネットワークサイドが接続されている全ての訪問公衆陸地移動ネットワーク（ＶＰＬＭＮ）情報を含んだネットワーク通知を送信し、利用者端末の再度選択を待つステップ、
を更に含むことを特徴とする請求項４に記載の方法。
【請求項７】
ネットワーク通知を送信する回数の閾値を予め設定し、利用者端末に対してネットワーク通知を送信する前に、もし、ネットワーク通知を送信する回数がネットワーク通知を送信する回数の閾値に達したら、利用者端末に対してアクセス失敗の情報を送信し、他の場合には、利用者端末に対して、ネットワークサイドが接続されている全てのＶＰＬＭＮ情報を含んだネットワーク通知を再び送信し、そして利用者端末の再度選択を待つステップ、
を更に含むことを特徴とする請求項６に記載の方法。
【請求項８】
前記利用者端末が再度選択したネットワークに対して認証手順を開始する前に、当該方法は、
もし、受信されたもう一つのネットワークの情報に基づいて、当該ネットワークは本ネットワークサイドが接続されているネットワークであれば、ネットワークサイドから開始された認証手順を継続して実行し、他の場合には、利用者端末に対して、ネットワークサイドが接続されている全てのＶＰＬＭＮ情報を含んだネットワーク通知を送信し、利用者端末の再度選択を待つステップ、
を更に含むことを特徴とする請求項５に記載の方法。
【請求項９】
ネットワーク通知を送信する回数の閾値を予め設定し、利用者端末に対してネットワーク通知を送信する前に、もし、ネットワーク通知を送信する回数がネットワーク通知を送信する回数の閾値に達したら、利用者端末に対してアクセス失敗の情報を送信し、他の場合には、利用者端末に対して、ネットワークサイドが接続されている全てのＶＰＬＭＮ情報を含んだネットワーク通知を再び送信し、そして利用者端末の再度選択を待つステップ、
を更に含むことを特徴とする請求項８に記載の方法。
【請求項１０】
前記利用者端末の現在のサービスネットワークは、当該利用者端末の一つの訪問ネットワークであり、又はそのホームネットワークである、
ことを特徴とする請求項１に記載の方法。
【請求項１１】
前記ネットワークサイドは、ＷＬＡＮネットワーク又は認証サーバを含んだＷＬＡＮアクセスネットワーク、或いは移動通信運営ネットワーク、或いは認証サーバを含んだ移動通信運営ネットワーク、或いは判断機能を備えた指定のサーバである、
ことを特徴とする請求項１に記載の方法。
【請求項１２】
前記現在のサービスネットワークともう一つのネットワークは３ＧＰＰネットワーク、又は公衆陸地移動ネットワーク（ＰＬＭＮ）である、
ことを特徴とする請求項１に記載の方法。
【請求項１３】
前記認証サーバは、認証承認課金（ＡＡＡ）サーバである、
ことを特徴とする請求項１に記載の方法。
【手続補正２】
【補正対象書類名】明細書
【補正対象項目名】全文
【補正方法】変更
【補正の内容】
【発明の詳細な説明】
【技術分野】
【０００１】
本発明は、無線ネットワークの再度選択技術に関し、特に多種類ネットワーク内の無線ローカルエリアネットワーク（ＷＬＡＮ）再度選択方法に関する。
【背景技術】
【０００２】
利用者の無線アクセスレート要求が益々増えることに対して、ワイヤレス・ローカル・エリア・ネットワーク（ＷＬＡＮ，Ｗｉｒｅｌｅｓｓ  Ｌｏｃａｌ  Ａｒｅａ  Ｎｅｔｗｏｒｋ）技術がそれに応じて現れ、より小さな範囲で高速のワイヤレスデータのアクセスを提供することができる。ワイヤレス・ローカル・エリア・ネットワークには多種類の異なる技術が含まれている。最近、広く応用されている標準技術の一つは、ＩＥＥＥ８０２．１１ｂであり、２．４ＧＨｚ周波数帯域を採用し、最高のデータ伝送レートは１１Ｍｂｐｓに達することができる。また、該当周波数帯域を使用するものとしてＩＥＥＥ８０２．１１ｇとブルートゥース（Ｂｌｕｅｔｏｏｔｈ）技術もあり、その中で、８０２．１１ｇの最高データ伝送レートは５４Ｍｂｐｓに達することができる。その他の新技術、例えばＩＥＥＥ８０２．１１ａとＥＴＳＩ  ＢＲＡＮ  Ｈｉｐｅｒｌａｎ２は全て５ＧＨｚ周波数帯域を採用し、そして最高の伝送レートは、同様に、５４Ｍｂｐｓに達することができる。
【０００３】
多種類の異なる無線アクセス技術があるにもかかわらず、大部分のＷＬＡＮはインターネットプロトコル（ＩＰ）によるパケットデータ送信を行う。一つの無線ＩＰネットワークについて、それが採用した具体的なＷＬＡＮアクセス技術は、一般的にアッパーの上位レベルのＩＰに対して透明である。その基本構造は、アクセスポイント（ＡＰ）によって利用者端末の無線アクセスが完了され、ネットワーク制御と連結設備の接続によってＩＰ伝送ネットワークが構成されるものである。
【０００４】
ＷＬＡＮ技術の出現と発展に伴い、ＷＬＡＮと各無線移動通信ネットワーク、例えば、ＧＳＭ、符号分割多重接続（ＣＤＭＡ）システム、広帯域符号分割多重接続（ＷＣＤＭＡ）システム、時分割−同期符号分割多重接続（ＴＤ−ＣＤＭＡ）システム、ＣＤＭＡ２０００システムなどの相互接続は現在の主な研究のポイントとなっている。これらのネットワークも相互接続ネットワークであり、例えば、ＷＬＡＮ−３Ｇの相互接続ネットワークである。以下の内容はこれらのネットワークに適用されるが、これらのネットワークにのみ限定されるのではない。第三世代移動通信システム（３ＧＰＰ）の標準化組織において、利用者端末はＷＬＡＮのアクセスネットワークを経由してインターネット（Ｉｎｔｅｒｎｅｔ）、イントラネット（Ｉｎｔｒａｎｅｔ）に接続され、また、ＷＬＡＮアクセスネットワークを経由して３ＧＰＰシステムのホームネットワーク又は３ＧＰＰシステムの訪問ネットワークに接続される。具体的には、図２に示しているように、ＷＬＡＮの利用者端末から現地でアクセスする場合、ＷＬＡＮアクセスネットワークを経由して３ＧＰＰのホームネットワーク、即ち、ホーム公衆陸地移動ネットワーク（ＨＰＬＭＮ）に接続される。または、図１に示しているように、ローミングする際に、ＷＬＡＮアクセスネットワークを経由して３ＧＰＰの訪問ネットワーク、即ち、訪問公衆陸地移動ネットワーク（ＶＰＬＭＮ）に接続され、３ＧＰＰの訪問ネットワークの一部エンティティ（ｅｎｔｉｔｙ）は、それぞれ対応する３ＧＰＰホームネットワーク内のエンティティと相互接続される。例えば、３ＧＰＰ訪問ネットワーク内の３ＧＰＰ認証承認課金（ＡＡＡ）プロキシと３ＧＰＰホームネットワークによる３ＧＰＰ認証承認課金（ＡＡＡ）サーバ、３ＧＰＰ訪問ネットワーク内のＷＬＡＮアクセスゲートウェイ（ＷＡＧ）と３ＧＰＰホームネットワーク内のパケットデータゲートウェイ（ＰＤＧ，Ｐａｃｋｅｔ  Ｄａｔａ  Ｇａｔｅｗａｙ）などである。また、図１と図２はそれぞれローミングする場合とローミングしていない場合のＷＬＡＮシステムと３ＧＰＰシステムの相互接続ネットワークの構造を示す。
【０００５】
図１と図２で示しているように、３ＧＰＰシステムには、ホーム・サブスクライバー・サーバ（ＨＳＳ）／ホーム・位置・レジスタ（ＨＬＲ）、３ＧＰＰ  ＡＡＡサーバ、３ＧＰＰ  ＡＡＡプロキシ、ＷＡＧ、パケットデータゲートウェイ、課金ゲートウェイ（ＣＧｗ）／課金コレクションシステム（ＣＣＦ）及びオンライン課金システム（ＯＣＳ）などが主に含まれている。利用者端末、ＷＬＡＮアクセスネットワークと３ＧＰＰシステムの全てのエンティティは３ＧＰＰ−ＷＬＡＮの相互接続ネットワークを一緒に構成する。この３ＧＰＰ−ＷＬＡＮの相互接続ネットワークはＷＬＡＮのサービスシステムとして使用できる。その中で、３ＧＰＰ  ＡＡＡサーバは、利用者に対しての認証、承認と課金を担当し、ＷＬＡＮアクセスネットワークから送信された課金情報をコレクションして、課金システムに対して伝送するものである。パケットデータゲートウェイは、利用者データがＷＬＡＮアクセスネットワークから３ＧＰＰネットワークやその他のパケットネットワークに対してのデータ伝送、又はその逆の伝送を担当するものである。課金システムは、ネットワークによる利用者課金情報を受信して記録し、ＯＣＳがオンライン課金利用者の課金状況に従ってネットワークにオンライン課金情報の定期的な伝送を指示し、統計と制御を実行することをさらに含むものである。
【０００６】
ローミングしていない場合に、ＷＬＡＮの利用者端末がＩｎｔｅｒｎｅｔ／Ｉｎｔｒａｎｅｔに直接的にアクセスしようとするとき、利用者端末はＷＬＡＮアクセスネット−クを経由して、ＡＡＡサーバ（ＡＳ）とのアクセス認証、承認を完了した後、ＷＬＡＮアクセスネット−クを経由してＩｎｔｅｒｎｅｔ／Ｉｎｔｒａｎｅｔに接続されることができる。ＷＬＡＮの利用者端末が３ＧＰＰパケットスイッチ（ＰＳ）ドメインサービスにもアクセスしようとするとき、３ＧＰＰホームネットワークに対してシナリオ３（Ｓｃｅｎａｒｉｏ３）のサービスを更に申し込むことができる。即ち、ＷＬＡＮ利用者端末から３ＧＰＰホームネットワークのＡＳに対してシナリオ３のサービス承認要求を開始し、３ＧＰＰホームネットワークのＡＳがこのサービス承認要求に対してサービスの認証と承認を実行して、成功したら、ＡＳは利用者端末にアクセス許可メッセージ（Ａｃｃｅｓｓ  Ｐｅｒｍｉｓｓｉｏｎ  Ｍｅｓｓａｇｅ）を送信し、相応のＰＤＧも割り当てる。利用者端末から、割り当てられたＰＤＧとの間にトンネルが設置された後、３ＧＰＰ  ＰＳドメインサービスにアクセスすることができる。同時に、ＣＧｗ／ＣＣＦとＯＣＳは利用者端末のネットワーク使用状況に従って課金情報を記録する。ローミングする場合に、ＷＬＡＮの利用者端末からＩｎｔｅｒｎｅｔ／Ｉｎｔｒａｎｅｔに対して直接的にアクセスしようとするとき、利用者端末は３ＧＰＰ訪問ネットワークを経由して３ＧＰＰホームネットワークに対してＩｎｔｅｒｎｅｔ／Ｉｎｔｒａｎｅｔに対してのアクセスを申し込むことができる。利用者端末から、シナリオ（Ｓｃｅｎａｒｉｏ）３のサービスにも申し込み、３ＧＰＰ  ＰＳドメインサービスにアクセスしようとするとき、利用者端末は、３ＧＰＰ訪問ネットワークを経由して３ＧＰＰホームネットワークに対してサービス承認手順を開始しなければならない。この手順も利用者端末と３ＧＰＰホームネットワークＡＳとの間で実行され、承認で成功した後、ＡＳが利用者端末に相応のホームＰＤＧを割り当てる。３ＧＰＰ訪問ネットワークのＷＡＧを経由して、利用者端末と割り当てられたＰＤＧとの間にトンネルが設置された後、利用者端末はホームネットワークの３ＧＰＰ  ＰＳドメインサービスにアクセスすることができる。
【０００７】
３ＧＰＰ−ＷＬＡＮの相互接続ネットワークにおいて、もし一つのＷＬＡＮが同時に複数の３ＧＰＰ訪問ネットワーク、即ち、複数の移動通信運営ネットワークに接続されているとき、ＷＬＡＮ利用者端末が必要によって、適当な移動通信運営ネットワークを選択してアクセスするには二種類の実現方案があり、それぞれ図３、図４に示している。そのなかで、図３は利用者端末がアクセスしようとする移動通信運営ネットワークを直接に選択して成功した処理手順を示すものであり、この手順には以下のステップが含まれている。
【０００８】
ステップ３０１〜３０３で、ＷＬＡＮ利用者端末とＷＬＡＮアクセスネットワークとの無線接続が確立された後、ネットワーク、例えばＷＬＡＮ、３Ｇネットワーク、又はＷＬＡＮ利用者端末はアクセス認証手続きを開始し、ＷＬＡＮアクセスネットワークから当該ＷＬＡＮ利用者端末に対して利用者識別子の要求メッセージを送信し、当該ＷＬＡＮ利用者端末は要求メッセージを受信した後、ＷＬＡＮアクセスネットワークに対してネットワーク選択情報が含まれている利用者識別子の応答メッセージを返信する。ここで、ネットワーク選択情報とは、利用者端末が現在アクセスしようとする、ＷＬＡＮネットワークに接続されている移動通信運営ネットワークの情報を指すものであり、ＷＬＡＮアクセスネットワークと利用者端末との間のアクセス認証手続きは拡張性認証プロトコル（ＥＡＰ）手続きである。一般的に、ネットワーク選択情報はネットワークアクセス識別子（ＮＡＩ）のフォーマットによって定義された利用者識別子フィールド内に乗せられている。
【０００９】
ステップ３０４〜３０６で、ＷＬＡＮアクセスネットワークは利用者端末から送信されたメッセージを受信した後、メッセージ中のネットワーク選択情報が現在ＷＬＡＮに接続されている移動通信運営ネットワークに属しているかどうかと判断する。もし属しているなら、ＷＬＡＮアクセスネットワークはＮＡＩによって、利用者端末に選択された移動通信運営ネットワークの３ＧＰＰ  ＡＡＡプロキシ又は３ＧＰＰ  ＡＡＡサーバを確定し、次いで、確定された３ＧＰＰ  ＡＡＡプロキシ又は３ＧＰＰ  ＡＡＡサーバに対して利用者識別子とアクセス認証承認要求を送信して、３ＧＰＰ  ＡＡＡプロキシ又は３ＧＰＰ  ＡＡＡサーバに、現在アクセスした利用者端末に対しての認証を行わせ、もし認証にパスしたら、次のアクセスを完了する。
【００１０】
図４は利用者端末がアクセスしようとする移動通信運営ネットワークの初回選択に失敗して、送信されたネットワーク選択情報に基づいて、再度選択する処理手順を示すものであり、この手順には以下のステップが含まれている。
【００１１】
ステップ４０１〜４０３は、ステップ３０１〜３０３と完全に同じである。
【００１２】
ステップ４０４〜４０５で、ＷＬＡＮアクセスネットワークは利用者端末から送信されたメッセージを受信した後、メッセージ中のネットワーク選択情報が現在ＷＬＡＮに接続されている移動通信運営ネットワークに属していないことを発見したら、当該利用者端末に対して、自身が接続している全ての移動通信運営ネットワーク情報を含んだネットワーク通知シグナルを送信する。
【００１３】
ステップ４０６〜４０７で、利用者端末は受信した後、通知シグナル中の移動通信運営ネットワーク情報に基づいて、アクセスしようとする移動通信運営ネットワークを再度選択し、次いで、ＷＬＡＮアクセスネットワークに対して、新しいネットワーク選択情報が含まれている利用者識別子の応答メッセージを送信する。
【００１４】
ステップ４０８〜４０９は、ステップ３０５〜３０６と完全に同じである。
【発明の開示】
【発明が解決しようとする課題】
【００１５】
前記方案から見れば、３ＧＰＰ−ＷＬＡＮの相互接続ネットワークには、利用者端末がネットワークを選択してアクセスする比較的に完備な手順が存在している。しかし、あるＷＬＡＮアクセスネットワークが同時に複数のＶＰＬＭＮネットワークに接続され、且つある利用者端末が既に当該ＷＬＡＮアクセスネットワークを経由して、その中の一つのＶＰＬＭＮネットワークにアクセスした後で、当該利用者端末が種々の原因で、例えば、料金の原因、訪問のサービス範囲の原因等で、現在接続されているＶＰＬＭＮネットワークと切断し、当該ＷＬＡＮアクセスネットワークに接続されている別のＶＰＬＭＮネットワークを再度選択する必要がある場合、目下具体的な解決案が提出されていない。
【００１６】
上記に鑑み、本発明は利用者端末に対して、既に一つのネットワークにアクセスされた後、もう一つのネットワークを再度選択してアクセスを行わせる、多種類ネットワーク内の無線ＬＡＮ再度選択方法を提供することを主たる目的とする。
【課題を解決するための手段】
【００１７】
上記の目的に達するために、本発明の技術方案は下記のように実現される。
【００１８】
多種類ネットワーク内の無線ＬＡＮ（ＷＬＡＮ）再度選択方法であって、当該方法は、
利用者端末は現在のサービスネットワークからもう一つのネットワークへ変更する場合、ネットワーク情報が含まれているネットワーク再度選択要求をネットワークサイドに対して送信するステップと、もし、前記ネットワーク再度選択要求によって指出された前記もう一つのネットワークが前記現在のサービスネットワークと異なっている場合、前記もう一つのネットワークとのアクセスを確立するステップと、を含む。
【００１９】
上記方案で、前記ネットワーク再度選択要求はアクセス認証の要求であり、又は接続の切断要求であり、ネットワークサイドがネットワーク再度選択要求を受信した後、当該方法は、もし、受信された要求の中にターゲットネットワークの選択情報が含まれている場合、前記もう一つのネットワークとのアクセスを確立し、他の場合には、利用者端末に対して利用者情報の要求メッセージを送信し、利用者端末は再度選択したもう一つのネットワークの情報をネットワークサイドに対して送信するステップ、を更に含む。
【００２０】
前記ネットワーク再選択要求は、再度選択したネットワークの情報が含まれている接続切断要求であることもできる。
【００２１】
そのうち、前記もう一つのネットワークとのアクセスを確立するとは、まず、利用者端末とそれが既にアクセスされているネットワークとの間の接続を切断し、次に、当該利用者端末が再度選択したネットワークに対して認証アクセスの手順を開始することである。又は、利用者端末とそれが既にアクセスされているネットワークとの間の接続を保留すると共に、当該利用者端末が再度選択したネットワークに対して認証及びアクセスの手順を開始し、当該利用者端末が認証にパスし、そして再度選択したネットワークに対してアクセスされた後に、利用者端末とそれが前既にアクセスされていたネットワークとの間の接続を切断することである。
【００２２】
前記利用者端末が再度選択したネットワークに対して認証手順を開始する前に、当該方法は、もし、受信されたもう一つのネットワークの情報に基づいて、当該ネットワークは本ネットワークサイドが接続されているネットワークであれば、ネットワークサイドから開始された認証手順を継続して実行し、他の場合には、利用者端末に対して、ネットワークサイドが接続されている全てのＶＰＬＭＮ情報を含んだネットワーク通知を送信し、利用者端末の再度選択を待つステップ、を更に含む。
【００２３】
当該方法は、ネットワーク通知を送信する回数の閾値を予め設定し、利用者端末に対してネットワーク通知を送信する前に、もし、ネットワーク通知を送信する回数がネットワーク通知を送信する回数の閾値に達したら、利用者端末に対してアクセス失敗の情報を送信し、他の場合には、利用者端末に対して、ネットワークサイドが接続されている全てのＶＰＬＭＮ情報を含んだネットワーク通知を再び送信し、そして利用者端末の再度選択を待つステップ、を更に含むことができる。
【００２４】
上記方案で、前記利用者端末の現在のサービスネットワークは、当該利用者端末の一つの訪問ネットワークであり、又はそのホームネットワークである。
【００２５】
上記方案で、前記ネットワークサイドは、ＷＬＡＮアクセスネットワーク又は認証サーバを含んだＷＬＡＮアクセスネットワーク、或いは移動通信運営ネットワーク、或いは認証サーバを含んだ移動通信運営ネットワーク、或いは判断機能を備えた指定のサーバである。
【００２６】
上記方案で、前記現在のサービスネットワークともう一つのネットワークは３ＧＰＰネットワーク、又は公衆陸地移動ネットワーク（ＰＬＭＮ）である。
【００２７】
上記方案で、前記認証サーバは、認証承認課金（ＡＡＡ）サーバである。
【発明の効果】
【００２８】
本発明に提供された利用者端末がネットワークを再度選択する方法は、本発明のネットワークサイドが前の一つのネットワークとの接続を切断しないまま、直接に新しいネットワークと認証・アクセスの手続きを行うことができることで、利用者端末と外部サービスの接続を切断する時間を短縮し、ひいては除去することができる。そして、円滑な再度選択手続きを実現し、顧客の満足度を向上させ、課金の精確性も高くなり、オペレーターの利益を保護することができる。また、本発明が利用者端末とネットワークサイドについて、比較的に小さな機能要求だけを追加し、既存の処理手順に対しての影響が非常に小さいことで、既存のＰＬＭＮ選択の過程と協力して、利用者端末がアクセスするネットワークに対しての再度選択機能を共同に完了し、実用性にとても優れている。その上、本発明は種々の実現形式があり、柔軟に実現できる。
【発明を実施するための最良の形態】
【００２９】
本発明の基本的な指導思想として、ネットワークの再度選択必要がある利用者端末からネットワークサイドに対してネットワークの再度選択要求を開始し、ネットワークサイドは要求を受信した後、受信された要求中のネットワーク選択情報と現在当該利用者端末がアクセスされているネットワーク情報に対して比較を行い、もし異なっている場合、当該利用者端末と新しいネットワークとのアクセスを完了し、そして利用者端末と元のネットワークとの接続を切断することである。
【００３０】
本発明において、利用者端末がネットワークの再度選択を行う前提は、当該利用者端末が現在既に一つのネットワークにアクセスされていることである。ここで前記現在既にアクセスされているネットワークとはＶＰＬＭＮでもよいし、当該利用者端末のＨＰＬＭＮでもよい。
【００３１】
利用者端末がネットワークを再度選択する原因は多種であり、例えば、現在アクセスされているネットワークの課金がもう一つのネットワークよりも高ければ、利用者端末は現在アクセスされているネットワークからもう一つのネットワークへ切り替えたくなること等である。ここで、前記切り替えとは、利用者端末がＨＰＬＭＮからＶＰＬＭＮへの切り替えでもよいし、或いはＶＰＬＭＮ１からＶＰＬＭＮ２への切り替え、又はＶＰＬＭＮからＨＰＬＭＮへの切り替えでもよい。
【００３２】
本発明のＷＬＡＮ利用者端末が移動通信運営ネットワークを再度選択する手続きは、図５に示しているように、以下のステップを含む。
【００３３】
ステップ５０１で、ネットワークの再度選択必要のあるＷＬＡＮ利用者端末が、再度選択してアクセスする必要のある移動通信運営ネットワークを確定し、その後、当該ＷＬＡＮ利用者端末からＷＬＡＮアクセスネットワークに対してネットワークの再度選択要求を送信して、利用者端末が新しい移動通信運営ネットワークにアクセスする必要があることを表示する。例えば、ＶＰＬＭＮ１から変じてＶＰＬＭＮ２を選択した場合、新しいＶＰＬＭＮ２を経由してＨＰＬＭＮにアクセスしたい利用者の希望を表明し、もし新しいネットワークの選択はＨＰＬＭＮである場合、直接にＨＰＬＭＮにアクセスしたい利用者の希望を表明する。
【００３４】
そのなかで、ＷＬＡＮ利用者端末が現在アクセスされている３ＧＰＰ移動通信運営ネットワークは当該ＷＬＡＮ利用者端末の一つの訪問ネットワークでもよいし、ホームネットワークでもよい。前記ネットワークの再度選択要求は通常のアクセス認証要求でもよいし、接続の切断要求でもよい。当該接続の切断要求には、ＷＬＡＮ利用者端末の新しく選択した移動通信運営ネットワークの情報が更に乗せられる。
【００３５】
ステップ５０２〜５０３で、ＷＬＡＮアクセスネットワークはネットワークの再度選択要求を受信した後、要求の中に、所要のネットワーク選択情報が含まれているかどうかを判断し、含まれていれば、ステップ５０４を継続して進み、他の場合には、ＷＬＡＮアクセスネットワークからＷＬＡＮ利用者端末に対して利用者情報の要求、例えば、利用者識別子の要求メッセージを送信する。ＷＬＡＮ利用者端末は要求メッセージを受信した後、ＷＬＡＮアクセスネットワークに対して再度選択した移動通信運営ネットワーク情報が含まれている利用者識別子の応答メッセージを送信する。同様に、当該移動通信運営ネットワーク情報はＮＡＩのフォーマットによって定義された利用者識別子フィールド内に乗せられている。本ステップの中で、他の場合の処理は実際に、一つのＷＬＡＮアクセスネットワークとＷＬＡＮ利用者端末との間に、アクセス認証の手続き、即ち、拡張性認証プロトコル（ＥＡＰ）の手続きが開始されることである。
【００３６】
ステップ５０４〜５０７で、ＷＬＡＮアクセスネットワークは現在受信された利用者識別子メッセージ内の移動通信運営ネットワーク情報を、接続が確立された移動通信運営ネットワーク情報に対して比較を行い、二つの移動通信運営ネットワークが同じであれば、ＷＬＡＮアクセスネットワークは、当該ＷＬＡＮ利用者端末が現在接続されている移動通信運営ネットワークに対しての一回の正常な認証要求だと判定し、そうすれば、対応する再度認証手続きを完了し、そして、現在のネットワーク再度選択手順を終了する。同じでいない場合には、当該ＷＬＡＮ利用者端末と新しい移動通信運営ネットワークとのアクセスを完了し、そしてＷＬＡＮ利用者端末と元の移動通信運営ネットワークとの接続を切断する。
【００３７】
ＷＬＡＮ利用者端末に新しく選択された移動通信運営ネットワークに対して接続する前に、ＷＬＡＮアクセスネットワークはまた当該移動通信運営ネットワークの有効性に対して判断する必要がある。即ち、ＷＬＡＮ利用者端末に新しく選択された移動通信運営ネットワークは、本ＷＬＡＮに接続されている３ＧＰＰネットワークであるかどうかを判断する。当該判断は二つの移動通信運営ネットワークの情報を比較すると同時に完了してもよいし、元の移動通信運営ネットワークを切断した後、新しく選択された移動通信運営ネットワークに対して接続する前に判断してもよい。ここで、もし元の移動通信運営ネットワークが新しい移動通信運営ネットワークと異なっているが、新しい移動通信運営ネットワークと本ＷＬＡＮが接続されていない場合には、ＷＬＡＮアクセスネットワークから当該利用者端末に対して再度選択の失敗通知及び失敗原因を返信し、そして当該ＷＬＡＮ利用者端末に対してネットワーク通知のシグナルを送信して、接続可能な移動通信運営ネットワーク情報をＷＬＡＮ利用者端末に対して通知し、ＷＬＡＮ利用者端末に、図４に示したステップ４０６〜４０９の処理手順に従って、適当な移動通信運営ネットワークを再度選択してアクセスさせる。
【００３８】
元の移動通信運営ネットワークと新しい移動通信運営ネットワークの切断と接続において、二種類の場合に分ける。一つはＷＬＡＮアクセスネットワークが、まず、ＷＬＡＮ利用者端末に対応する元の移動通信運営ネットワークとの間の接続を切断し、次いで当該ＷＬＡＮ利用者端末が新しく選択した移動通信運営ネットワークに対して、認証及びアクセスの手順を開始することである。もう一つはＷＬＡＮ利用者端末が新しい認証にパスし、且つ新しく選択した移動通信運営ネットワークに対してアクセスされた後、ＷＬＡＮアクセスネットワークが、ＷＬＡＮ利用者端末と元の接続されている移動通信運営ネットワークとの間の接続を切断することである。
【００３９】
第一の場合において、ＷＬＡＮアクセスネットワークが切断操作を完了した後、前記ＷＬＡＮ利用者端末のネットワークの再度選択要求を、それが選択した新しい移動通信運営ネットワークに対応する３ＧＰＰ  ＡＡＡプロキシ・３ＧＰＰ  ＡＡＡサーバに対して送信し、当該ＷＬＡＮ利用者端末に対しての認証を実行する。認証に成功した後、ＷＬＡＮアクセスネットワークはＷＬＡＮ利用者端末に対して、新しい移動通信運営ネットワークとの間の正常な接続を確立させ、そして新しい移動通信運営ネットワークとの間に対応する課金関係を確立させ、ＷＬＡＮ利用者が移動通信運営ネットワークを再度選択することを完了させる。
【００４０】
第二の場合において、ＷＬＡＮアクセスネットワークは、受信された前記ＷＬＡＮ利用者端末のネットワーク再度選択要求を、直接に、それが選択した新しい移動通信運営ネットワークに対応する３ＧＰＰ  ＡＡＡプロキシ・３ＧＰＰ  ＡＡＡサーバに対して送信し、当該ＷＬＡＮ利用者端末に対しての認証手続きを実行する。認証手続きは当該ＷＬＡＮ利用者端末のホームネットワークに関連する。当該ＷＬＡＮ利用者端末と元の移動通信運営ネットワークの接続が切断していない、当該ＷＬＡＮ利用者端末のホームネットワークには前の接続の情報があっていても、ホームネットワークは、当該ＷＬＡＮ利用者端末と元の移動通信運営ネットワークの接続に対しての認証で、正常に処理する。認証に成功した後、ＷＬＡＮアクセスネットワークは課金情報を統計し、元の移動通信運営ネットワークに対して送信し、ＷＬＡＮ利用者端末と元の移動通信運営ネットワークのネットワーク接続を切断する。同時に、ＷＬＡＮアクセスネットワークは、ＷＬＡＮ利用者端末に対して、新しい移動通信運営ネットワークとの間の正常な接続を確立させ、そして、新しい移動通信運営ネットワークとの間に応じる課金関係を確立させ、従う課金情報は全て新しい移動通信運営ネットワークに対して送信させ、ＷＬＡＮ利用者が移動通信運営ネットワークを再度選択することを完了させる。もし認証に失敗したら、ネットワークの配置に従って、二種類の処理手順がある。１）ＷＬＡＮ利用者端末と元の移動通信運営ネットワークの接続を切断することで、当該処理は通信過程中のある一回の再度認証失敗に対応する、２）新しい移動通信運営ネットワークの選択トライ（ｔｒｉｅｓ）が失敗したことを利用者に提示し、元の移動通信運営ネットワークとの接続は切断しないが、ここでネットワークは、元の移動通信運営ネットワークの識別子に基づいて、再度認証を行うことを要求する。
【００４１】
上記方案において、前記移動通信運営ネットワークとＷＬＡＮ利用者端末との間の接続切断は、サービス接続の切断、課金情報の決算等を含む。具体的な処理手続きは、既存のＷＬＡＮ利用者端末が接続されている移動通信運営ネットワークと正常に接続を切断する手続きと完全に同じである。
【００４２】
図６に示したのは、あるＷＬＡＮアクセスネットワークが同時に、三つのＶＰＬＭＮに接続されている場合である。ＷＬＡＮ利用者端末は目前当該ＷＬＡＮアクセスネットワークを経由してＶＰＬＭＮ１にアクセスされている、現在ＷＬＡＮ利用者端末はＶＰＬＭＮ１からＶＰＬＭＮ２へ切り替えたいと仮定する。そのうち、ＶＰＬＭＮ１は元の３ＧＰＰ  ＡＡＡプロキシに対応し、ＶＰＬＭＮ２は新しい３ＧＰＰ  ＡＡＡプロキシに対応する。以下にそれぞれその実施の形態を示す図面と九つの実施例に基づいて、ＷＬＡＮ利用者端末がアクセスしようとする移動通信運営ネットワークを再度選択する手続きを詳しく説明する。
【実施例１】
【００４３】
本実施例において、ＷＬＡＮ利用者端末からＷＬＡＮアクセスネットワークに対して送信するのはアクセス認証要求である。そしてＷＬＡＮアクセスネットワークはＶＰＬＭＮ１とＶＰＬＭＮ２の情報が同じであるかどうかを比較すると共に、ＶＰＬＭＮ２の有効性を判断する。且つＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。そして、本実施例において、ＷＬＡＮ利用者端末が移動通信運営ネットワークを再度選択する手続きは、図７に示しているように、以下のステップを含む。
【００４４】
ステップ７０１〜７０２で、ＷＬＡＮ利用者端末は再度接続必要のある移動通信運営ネットワークＶＰＬＭＮ２を確定し、そしてＶＰＬＭＮ２のドメイン名又は識別子を確認する。ＷＬＡＮ利用者端末はＶＰＬＭＮ１との既存の接続に影響を与えない場合、ＷＬＡＮアクセスネットワークに対してアクセス認証要求を送信する。即ち、ＷＬＡＮ利用者端末からＷＬＡＮアクセスネットワークに対して認証スタートのメッセージＥＡＰｏＬ−Ｓｔａｒｔを送信する。
【００４５】
ステップ７０３〜７０４で、ＷＬＡＮアクセスネットワークがアクセス認証要求を受信した後、ＷＬＡＮアクセスネットワークと利用者端末との間にアクセス認証の手続き、即ち、拡張性認証プロトコル（ＥＡＰ）手続きが開始される。具体的には、ＷＬＡＮアクセスネットワークは、現在の利用者端末の利用者名を要求する利用者識別子の要求メッセージＥＡＰｏＬ−Ｒｅｑｕｅｓｔ［Ｉｄｅｎｔｉｔｙ］を利用者端末に対して送信する。利用者端末は当該要求メッセージを受信した後、ＷＬＡＮアクセスネットワークに対してＮＡＩのフォーマットによって定義された利用者識別子フィールドが乗せられた利用者識別子の応答メッセージＥＡＰｏＬ−Ｒｅｓｐｏｎｓｅ［Ｉｄｅｎｔｉｔｙ］を送信する。当該利用者識別子フィールドにはネットワークの選択情報が乗せられている。当該メッセージには識別子情報、即ちネットワークに対して再度選択を行うことを識別する情報が乗せられる。
【００４６】
ステップ７０５〜７０６で、ＷＬＡＮアクセスネットワークが比較によって、利用者識別子の応答メッセージの中のＶＰＬＭＮ２情報が現在接続されているＶＰＬＭＮ１情報と異なっていることを発見し、そしてＶＰＬＭＮ２が本ＷＬＡＮに接続されていることを発見する場合、ＷＬＡＮアクセスネットワークからＶＰＬＭＮ１に対して接続の切断手続きを開始し、課金情報をＶＰＬＭＮ１に対して送信し、当該利用者端末がＶＰＬＭＮ１に対してのサービス接続を切断する。
【００４７】
もしＷＬＡＮとＶＰＬＭＮ２との間に直接に接続されていないことを発見したら、初回のネットワーク選択処理と同じに、利用者端末に対してネットワーク通知を送信する必要があり、現在ＷＬＡＮ接続の全てのＶＰＬＭＮ情報を利用者端末に対して通知し、利用者の再度選択を待つ。しかし、もしこの前既に利用者に対してネットワーク通知を一回又は数回送信したことを発見したら、ネットワークの配置に従って、送信しないことを選択し、直接に拒否することができる。そのうち、ネットワーク通知を送信する回数の閾値は予め設定できる。
【００４８】
ステップ７０７〜７０８で、ＷＬＡＮ利用者端末とＶＰＬＭＮ１の接続を切断した後、ＷＬＡＮネットワークは前記ＷＬＡＮ利用者端末のアクセス認証要求をＶＰＬＭＮ２に対して送信し、そして当該利用者端末のＨＰＬＭＮにルートし、当該ＷＬＡＮ利用者端末に対しての認証を実行する。認証に成功したことを確認した後、ＷＬＡＮアクセスネットワークはＷＬＡＮ利用者端末に対して、正常なサービス接続を確立させ、そしてＶＰＬＭＮ２と応じるシグナルおよび課金関係を確立させ、ＷＬＡＮ利用者が移動通信運営ネットワークを再度選択する作業を完了させる。
【実施例２】
【００４９】
本実施例において、ＷＬＡＮ利用者端末からＷＬＡＮアクセスネットワークに対して送信するのはアクセス認証要求であり、そしてＷＬＡＮアクセスネットワークはＶＰＬＭＮ１とＶＰＬＭＮ２の情報が同じであるかどうかを比較すると共に、ＶＰＬＭＮ２の有効性を判断する。且つＷＬＡＮアクセスネットワークはＷＬＡＮ利用者端末とＶＰＬＭＮ１の接続を保留すると共に、当該ＷＬＡＮ利用者端末とＶＰＬＭＮ２の接続を確立し、接続の確立に成功した後で、ＷＬＡＮ利用者端末とＶＰＬＭＮ１の接続を切断する。そして、本実施例において、ＷＬＡＮ利用者端末が移動通信運営ネットワークを再度選択する手続きは、図８に示しているように、以下のステップを含む。
【００５０】
ステップ８０１〜８０４は、実施例１の中のステップ７０１〜７０４と完全に同じである。
【００５１】
ステップ８０５で、ＷＬＡＮアクセスネットワークが比較によって、利用者識別子メッセージの中のＶＰＬＭＮ２情報が現在接続されているＶＰＬＭＮ１の情報と異なっていることを発見し、そして、ＶＰＬＭＮ２が本ＷＬＡＮに接続されていることを発見する場合、ステップ８０６に進む。
【００５２】
もしＷＬＡＮとＶＰＬＭＮ２との間に直接に接続されていないことを発見したら、初回のネットワーク選択処理と同じに、利用者端末に対してネットワーク通知を送信する必要があり、現在ＷＬＡＮ接続の全てのＶＰＬＭＮ情報を利用者端末に対して通知し、利用者の再度選択を待つ。しかし、もしこの前既に利用者に対してネットワーク通知を一回又は数回送信したことを発見したら、ネットワークの配置に従って、送信しないことを選択し、直接に拒否することができる。そのうち、ネットワーク通知を送信する回数の閾値は予め設定できる。
【００５３】
ステップ８０６で、ＷＬＡＮアクセスネットワークは前記ＷＬＡＮ利用者端末のアクセス認証要求をＶＰＬＭＮ２に対して送信し、そして当該利用者端末のＨＰＬＭＮにルートし、当該ＷＬＡＮ利用者端末に対しての認証手続きを実行する。当該利用者端末がＶＰＬＭＮ１から切断しなかったことで、ＨＰＬＭＮには既に利用者端末の情報がある。それでも、ＶＰＬＭＮ２からの認証情報を受信すると、ＨＰＬＭＮは依然として正常な認証手順を行う。
【００５４】
ステップ８０７で、ＷＬＡＮアクセスネットワークが認証成功を確認した後、ＷＬＡＮアクセスネットワークからＶＰＬＭＮ１に対して接続切断の手続きを開始し、課金情報をＶＰＬＭＮ１に対して送信する。同時に、ＶＰＬＭＮ２と対応するシグナル及び課金関係を確立し、ＷＬＡＮ利用者の移動通信運営ネットワークを再度選択することを完了する。
【００５５】
本実施例において、ＶＰＬＭＮ２とＷＬＡＮ利用者端末の接続を確立する過程中に、当該利用者端末がＶＰＬＭＮ１でのサービス接続は切断していない。
【実施例３】
【００５６】
本実施例において、ＷＬＡＮ利用者端末からＷＬＡＮアクセスネットワークに対して送信するのはアクセス認証要求である。そしてＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。且つＷＬＡＮアクセスネットワークはＷＬＡＮ利用者端末とＶＰＬＭＮ１の接続を切断した後、ＶＰＬＭＮ２の有効性を判断する。そして、本実施例において、ＷＬＡＮ利用者端末が移動通信運営ネットワークを再度選択する手続きは、図９に示しているように、以下のステップを含む。
【００５７】
ステップ９０１〜９０４は、実施例１の中のステップ７０１〜７０４と完全に同じである。
【００５８】
ステップ９０５〜９０６で、ＷＬＡＮアクセスネットワークは比較によって、利用者識別子メッセージの中のＶＰＬＭＮ２情報が現在接続されているＶＰＬＭＮ１の情報と異なっていることを発見し、そして、利用者識別子の応答メッセージの中にネットワーク再度選択を行うことを表す情報が含まれているなら、ＷＬＡＮアクセスネットワークはＶＰＬＭＮ１と接続切断の手続きを開始し、課金情報をＶＰＬＭＮ１に対して送信し、当該利用者端末のサービス接続を切断する。
【００５９】
ステップ９０７〜９０９で、ＷＬＡＮ利用者端末とＶＰＬＭＮ１の接続を切断した後、ＷＬＡＮアクセスネットワークは、ＶＰＬＭＮ２が現在ＷＬＡＮの接続されている移動通信運営ネットワークに属するかどうかを判断し、ＶＰＬＭＮ２が本ＷＬＡＮの接続されている移動通信運営ネットワークであることを発見したら、前記ＷＬＡＮ利用者端末のアクセス認証要求をＶＰＬＭＮ２に対して送信し、そして、当該利用者端末のＨＰＬＭＮにルートし、当該ＷＬＡＮ利用者端末に対しての認証手順を実行する。認証成功を確認した後、ＷＬＡＮネットワークはＷＬＡＮ利用者端末に対して、正常なサービス接続を確立させ、そしてＶＰＬＭＮ２と応じるシグナル及び課金関係を確立させ、ＷＬＡＮ利用者が運営ネットワークを再度選択する作業を完了させる。
【００６０】
もしＷＬＡＮとＶＰＬＭＮ２との間に直接に接続されていないことを発見したら、初回のネットワーク選択処理と同じに、利用者端末に対してネットワーク通知を送信する必要があり、現在ＷＬＡＮ接続の全てのＶＰＬＭＮ情報を利用者端末に対して通知し、利用者の再度選択を待つ。しかし、もしこの前既に利用者に対してネットワーク通知を一回又は数回送信したことを発見したら、ネットワークの配置に従って、送信しないことを選択し、直接に拒否することができる。そのうち、ネットワーク通知を送信する回数の閾値は予め設定できる。
【実施例４】
【００６１】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれていなく、認証手続きを開始して、新しいネットワーク選択情報を獲得する必要がある。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。そして、本実施例において、全ての処理ステップは実施例１と基本的に同じであり、ＷＬＡＮ利用者端末からＷＬＡＮアクセスネットワークに対して送信する要求だけが異なっている。
【実施例５】
【００６２】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれていなく、認証手続きを開始して、新しいネットワーク選択情報を獲得する必要がある。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはＷＬＡＮ利用者端末とＶＰＬＭＮ１の接続を保留すると共に、当該ＷＬＡＮ利用者端末とＶＰＬＭＮ２の接続を確立し、接続の確立に成功した後で、ＷＬＡＮ利用者端末とＶＰＬＭＮ１の接続を切断する。そして、本実施例において、全ての処理ステップは実施例２と基本的に同じであり、ＷＬＡＮ利用者端末からＷＬＡＮアクセスネットワークに対して送信する要求だけが異なっている。
【実施例６】
【００６３】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれていなく、認証手続きを開始して、新しいネットワーク選択情報を獲得する必要がある。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。且つＷＬＡＮアクセスネットワークはＷＬＡＮ利用者端末とＶＰＬＭＮ１の接続を切断した後、ＶＰＬＭＮ２の有効性を判断する。そして、本実施例において、全ての処理ステップは実施例３と基本的に同じであり、ＷＬＡＮ利用者端末からＷＬＡＮアクセスネットワークに対して送信する要求だけが異なっている。
【実施例７】
【００６４】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれている。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。そして、本実施例の処理ステップは実施例１と比べて、ＷＬＡＮ利用者端末からＷＬＡＮアクセスネットワークに対して送信する要求が異なっていることだけでなく、同時にステップ７０３、７０４を省略し、ＷＬＡＮアクセスネットワークがＶＰＬＭＮ２の情報を直接に獲得したことで、ＷＬＡＮ利用者端末に対して要求する必要が無くなった。
【実施例８】
【００６５】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれている。ＷＬＡＮアクセスネットワークはＶＰＬＭＮ１とＶＰＬＭＮ２の情報が同じであるかどうかを比較すると共に、ＶＰＬＭＮ２の有効性を判断する。ＷＬＡＮアクセスネットワークはＷＬＡＮ利用者端末とＶＰＬＭＮ１の接続を保留すると共に、当該ＷＬＡＮ利用者端末とＶＰＬＭＮ２の接続を確立し、接続の確立に成功した後で、ＷＬＡＮ利用者端末とＶＰＬＭＮ１の接続を切断する。そして、本実施例の処理ステップは実施例２と比べて、ＷＬＡＮ利用者端末からＷＬＡＮアクセスネットワークに対して送信する要求が異なっていることだけでなく、同時にステップ８０３、８０４を省略し、ＷＬＡＮアクセスネットワークがＶＰＬＭＮ２の情報を直接に獲得したことで、ＷＬＡＮ利用者端末に対して要求する必要が無くなった。
【実施例９】
【００６６】
本実施例において、ＷＬＡＮ利用者端末からＷＬＡＮアクセスネットワークに対して送信するのは接続の切断要求であり、そして、当該要求には新しく選択した移動通信運営ネットワーク情報が含まれている。ＷＬＡＮアクセスネットワークはまずＷＬＡＮ利用者端末とＶＰＬＭＮ１の接続を切断してから、当該ＷＬＡＮ利用者端末とＶＰＬＭＮ２の接続を確立する。  ＷＬＡＮアクセスネットワークはＷＬＡＮ利用者端末とＶＰＬＭＮ１の接続を切断した後、ＶＰＬＭＮ２の有効性を判断する。そして、本実施例の処理ステップは実施例３と比べで、ＷＬＡＮ利用者端末からＷＬＡＮアクセスネットワークに対して送信する要求が異なっていることだけでなく、同時にステップ９０３、９０４を省略し、ＷＬＡＮアクセスネットワークがＶＰＬＭＮ２の情報を直接に獲得したことで、ＷＬＡＮ利用者端末に対して要求する必要が無くなった。
【００６７】
上記全ての実施例で、ネットワークサイドとは、ＷＬＡＮアクセスネットワーク又は認証サーバを含んだＷＬＡＮアクセスネットワーク、或いは移動通信運営ネットワーク又は認証サーバを含んだ移動通信運営ネットワーク、或いは判断機能を備えた指定のサーバを指すものである。そのうち、認証サーバは認証承認課金（ＡＡＡ）サーバであることができる。
【００６８】
以上に述べられたのは、本発明の好ましい実施例のみであり、本発明の保護範囲を制限するためのものではない。
【図面の簡単な説明】
【００６９】
【図１】図１は、ローミングする場合のＷＬＡＮシステムと３ＧＰＰシステムの相互接続ネットワーク構造を示す図である。
【図２】図２は、ローミングしてない場合のＷＬＡＮシステムと３ＧＰＰシステムの相互接続ネットワーク構造を示す図である。
【図３】図３は、利用者端末が移動通信運営ネットワークを選択してアクセスする一実施例の処理流れ図である。
【図４】図４は、利用者端末が移動通信運営ネットワークを選択してアクセスするもう一つの実施例の処理流れ図である。
【図５】図５は、本発明方法の処理手順を示す図である。
【図６】図６は、ＷＬＡＮが複数の訪問ネットワークと接続されているネットワークの構造を示す図である。
【図７】図７は、本発明におけるネットワークを再度選択する相互接続処理実施例１の流れ図である。
【図８】図８は、本発明におけるネットワークを再度選択する相互接続処理実施例２の流れ図である。
【図９】図９は、本発明におけるネットワークを再度選択する相互接続処理実施例３の流れ図である。
【国際調査報告】
2007535229.tif 000012
2007535229.tif 000013
2007535229.tif 000014
2007535229.tif 000015